【手続補正書】
【提出日】平成24年3月5日(2012.3.5)
【手続補正１】
【補正対象書類名】特許請求の範囲
【補正対象項目名】全文
【補正方法】変更
【補正の内容】
【特許請求の範囲】
【請求項１】
直列接続された複数の電池セルと、
前記直列接続された複数の電池セルの中の最も電位の低い電池セルのマイナス側に接続され基準電位が出力される電池側マイナス端子と、
前記複数の電池セルの中で前記基準電位に対し最も電位の高い第1の電池セルのプラス側に接続され第1の電位が出力される第１のプラス端子と、
前記複数の電池セルの中で前記第1の電池セル以外の第２の電池セルのプラス側に接続され第２の電位が出力される第２のプラス端子と、
を有することを特徴とする電池パック。
【請求項２】
直列接続された複数の電池セルからなる電池組と、
前記電池組のプラス側に接続された第1の端子と、
前記電池組のマイナス側端子に接続された第２の端子と、
前記電池組のうち前記第1の端子及び前記第２の端子とは異なる位置に接続された第３の端子を備え、
前記第1の端子と前記第３の端子とで第1の端子対を形成するとともに、前記第２の端子と前記第３の端子とで第２の端子対を形成し、前記第1の端子対で発生する電圧と前記第２の端子対で発生する電圧とが異なる電圧に設定されていることを特徴とする電池パック。
【請求項３】
前記電池セルはリチウムイオン電池であることを特徴とする請求項１または請求項２に記載の電池パック。
【請求項４】
駆動源となる複数の電池セルが直列接続された電池パックと前記電池パックが装着される工具本体とを備えた電動工具であって、
前記電池パックは、
前記直列接続された複数の電池セルの中の最も電位の低い電池セルのマイナス側に接続され基準電位が出力される電池側マイナス端子と、
前記複数の電池セルの中で前記基準電位に対し最も電位の高い第1の電池セルのプラス側に接続され第1の電位が出力される第１のプラス端子と、
前記複数の電池セルの中で前記第1の電池セル以外の第２の電池セルのプラス側に接続され第２の電位が出力される第２のプラス端子と、
を有し、
前記工具本体は、
前記コードレス電動工具が適正に駆動する駆動電圧に相当する電位が出力される前記第１のプラス端子または前記第２のプラス端子のいずれかに対応する第３のプラス端子と、
前記電池側マイナス端子と接続される工具側マイナス端子と、
を有し、
前記工具本体の前記第３のプラス端子と前記電池パックの前記第１のプラス端子または前記第２のプラス端子とが前記駆動電圧に応じて接続され、前記工具側マイナス端子と前記電池側マイナス端子とが接続されることにより使用されることを特徴とする電動工具。
【請求項５】
駆動源となる複数の電池セルが直列接続された電池パックと前記電池パックが装着される工具本体とを備えた電動工具であって、
前記電池パックは、
直列接続された複数の電池セルからなる電池組と、
前記電池組のプラス側に接続された第1の端子と、
前記電池組のマイナス側端子に接続された第２の端子と、
前記電池組のうち前記第1の端子及び前記第２の端子とは異なる位置に接続された第３の端子を備え、
前記第1の端子と前記第３の端子とで第1の端子対を形成するとともに、前記第２の端子と前記第３の端子とで第２の端子対を形成し、前記第1の端子対で発生する電圧と前記第２の端子対で発生する電圧とが異なる電圧に設定されており、
前記工具本体は、
前記第１の端子対または前記第２の端子対のいずれかに対応して接続される本体側端子対を有し、
前記本体側端子を介して前記電池パックから電力供給を受けることを特徴とする電動工具。
【請求項６】
請求項１に記載の電池パックの充電を行う充電装置であって、
前記電池パックの前記第１のプラス端子に接続される第１のプラス充電端子と、
前記電池パックの前記第２のプラス端子に接続される第２のプラス充電端子と、
前記電池パックの前記電池側マイナス端子に接続される充電側マイナス端子と、
前記電池パックを充電する電力が出力される充電出力プラス端子および充電出力マイナス端子と、
前記充電出力プラス端子に前記第１のプラス充電端子または前記第２のプラス充電端子を接続させる第１の切替手段と、
前記第１の切替手段が、前記充電出力プラス端子と前記第１のプラス充電端子とを接続している場合には、前記充電用マイナス端子に前記第２のプラス充電端子を接続する第１の接続状態とし、前記第１の切替手段が、前記充電出力プラス端子と前記第２のプラス充電端子とを接続している場合には、前記充電用マイナス端子に前記充電側マイナス端子を接続する第２の接続状態とする第２の切替手段と、
を有することを特徴とする充電装置。
【請求項７】
前記第１のプラス端子と前記第２のプラス端子との間に接続される前記電池セルのセルあたりの電圧を第１の電池電圧として検出する第１の電池電圧検出手段と、
前記第２のプラス端子と前記電池側マイナス端子との間に接続される前記電池セルのセルあたりの電圧を第２の電池電圧として検出する第２の電池電圧検出手段と、
をさらに有し、
前記電池パックを充電する際には、前記第１の接続状態において充電を行った後、前記第２の電池電圧が前記第１の電池電圧に達するまで前記第２の接続状態において充電を行うことを特徴とする請求項６に記載の充電装置。
【請求項８】
前記第１のプラス端子と前記第２のプラス端子との間に接続される前記電池セルのセルあたりの電圧を第１の電池電圧として検出する第１の電池電圧検出手段と、
前記第２のプラス端子と前記電池側マイナス端子との間に接続される前記電池セルのセルあたりの電圧を第２の電池電圧として検出する第２の電池電圧検出手段と、
前記第１の電池電圧と前記第２の電池電圧とを比較し、より大きい方を特定する電池電圧比較手段と、
をさらに有し、
前記電池電圧比較手段が前記第１の電池電圧をより大きいと特定した場合には、前記第２の接続状態において前記第２の電池電圧が前記第１の電池電圧に達するまで充電を行った後、所定時間待機し、
前記電池電圧比較手段が前記第２の電池電圧をより大きいと特定した場合には、前記第１の接続状態において前記第１の電池電圧が前記第２の電池電圧に達するまで充電を行った後、所定時間待機し、
前記所定時間待機した後、前記第１の接続状態及び前記第２の接続状態のそれぞれにおいて充電を行うことを特徴とする請求項６に記載の充電装置。
【請求項９】
前記第１の充電端子に前記電池パックの第１のプラス端子が未接続であることを判別し、未接続信号を出力する電池接続端子判別手段、をさらに有し、
前記未接続信号が出力された場合には、前記第２の接続状態において充電を行うことを特徴とする請求項６に記載の充電装置。
【請求項１０】
請求項２に記載の電池パックの充電を行う充電装置であって、
前記電池パックの前記第１の端子に接続される第１の充電端子と、
前記電池パックの前記第２の端子に接続される第２の充電端子と、
前記電池パックの前記第３の端子に接続される第３の充電端子と、
前記電池パックを充電する電力が出力される充電出力プラス端子および充電出力マイナス端子と、
前記充電出力プラス端子に前記第１の充電端子または前記第３の充電端子を接続させる第１の切替手段と、
前記第１の切替手段が、前記充電出力プラス端子と前記第１の充電端子とを接続している場合には、前記充電用マイナス端子に前記第３の充電端子を接続する第１の接続状態とし、前記第１の切替手段が、前記充電出力プラス端子と前記第３の充電端子とを接続している場合には、前記充電用マイナス端子に前記第２の端子を接続する第２の接続状態とする第２の切替手段と、
を有することを特徴とする充電装置。
【請求項１１】
前記第１の端子と前記第３の端子との間に接続される前記電池セルのセルあたりの電圧を第１の電池電圧として検出する第１の電池電圧検出手段と、
前記第３の端子と前記第２の端子との間に接続される前記電池セルのセルあたりの電圧を第２の電池電圧として検出する第２の電池電圧検出手段と、
をさらに有し、
前記電池パックを充電する際には、前記第１の接続状態において充電を行った後、前記第２の電池電圧が前記第１の電池電圧に達するまで前記第２の接続状態において充電を行うことを特徴とする請求項１０に記載の充電装置。
【請求項１２】
前記第１の端子と前記第３の端子との間に接続される前記電池セルのセルあたりの電圧を第１の電池電圧として検出する第１の電池電圧検出手段と、
前記第３の端子と前記第２の端子との間に接続される前記電池セルのセルあたりの電圧を第２の電池電圧として検出する第２の電池電圧検出手段と、
前記第１の電池電圧と前記第２の電池電圧とを比較し、より大きい方を特定する電池電圧比較手段と、
をさらに有し、
前記電池電圧比較手段が前記第１の電池電圧をより大きいと特定した場合には、前記第２の接続状態において前記第２の電池電圧が前記第１の電池電圧に達するまで充電を行った後、所定時間待機し、
前記電池電圧比較手段が前記第２の電池電圧をより大きいと特定した場合には、前記第１の接続状態において前記第１の電池電圧が前記第２の電池電圧に達するまで充電を行った後、所定時間待機し、
前記所定時間待機した後、前記第１の接続状態及び前記第２の接続状態のそれぞれにおいて充電を行うことを特徴とする請求項１０に記載の充電装置。
【請求項１３】
前記第１の充電端子に前記電池パックの第１の端子が未接続であることを判別し、未接続信号を出力する電池接続端子判別手段、をさらに有し、
前記未接続信号が出力された場合には、前記第２の接続状態において充電を行うことを特徴とする請求項１０に記載の充電装置。
【請求項１４】
第１の電圧で駆動する第１の電動工具と、前記第１の電圧とは異なる第２の電圧で駆動する第２の電動工具とに接続可能な電池パックであって、
直列接続された複数の電池セルと、
前記直列接続された複数の電池セルの中の最も電位の低い電池セルのマイナス側に接続され基準電位が出力されるマイナス端子と、
前記複数の電池セルの中で前記基準電位に対し最も電位の高い第１の電池セルのプラス側に接続され第1の電位が出力される第１のプラス端子と、
前記複数の電池セルの中で前記第１の電池セル以外の第２の電池セルのプラス側に接続され第２の電位が出力される第２のプラス端子と、を備え、
前記３つの端子の内、２つの端子は前記第１の電動工具に接続され、前記２つの端子の内の一方の端子と前記３つの端子の残りの１つの端子は前記第２の電動工具に接続されることを特徴とする電池パック。
【請求項１５】
第１の電圧で駆動する第１の電動工具と、
前記第１の電圧とは異なる第２の電圧で駆動する第２の電動工具と、
前記第１の電動工具及び前記第２の電動工具に接続可能な電池パックと、を備えた電動工具システムであって、
前記電池パックは、
直列接続された複数の電池セルと、
前記直列接続された複数の電池セルの中の最も電位の低い電池セルのマイナス側に接続され基準電位が出力されるマイナス端子と、
前記複数の電池セルの中で前記基準電位に対し最も電位の高い第１の電池セルのプラス側に接続され第1の電位が出力される第１のプラス端子と、
前記複数の電池セルの中で前記第１の電池セル以外の第２の電池セルのプラス側に接続され第２の電位が出力される第２のプラス端子と、を備え、
前記第１の電動工具は、前記３つの端子の内の、２つの端子と接続する第１の端子群、を備え、
前記第２の電動工具は、前記２つの端子の内の一方の端子と前記３つの端子の残りの１つの端子と接続する第２の端子群を備えたことを特徴とする電動工具システム。